(57)【要約】【課題】設置状態に応じて適切に電力を制御して画像を適量の光で正常に表示することができる表示装置、テレビジョン受信装置及び表示方法の提供。【解決手段】給電回路７は、所定比率以下の範囲で、表示すべき画像に係る画像信号に応じてデューティ比を変更し、変更したデューティ比で箱体内の基板に実装された発光素子４，４，・・・，４に間欠的に給電する。発光素子４，４，・・・，４が発する光によって画像が表示される。制御部８は、経時的に検出する箱体の設置状態が変化したと判定した場合、発光素子４，４，・・・，４の中の発光素子４ａ，４ｂ，・・・，４ｉ夫々について、基板を介して伝わる熱による温度上昇値を設置状態に応じて各別に推定し、給電による温度上昇値を各別に推定する。制御部８は、発光素子４ａ，４ｂ，・・・，４ｉの少なくとも１つについて、熱及び給電による温度上昇値の合計が所定値以上である場合に、所定比率を低減する。【選択図】図２
2013125211.tif 000002
【特許請求の範囲】
【請求項１】
所定比率以下の範囲で、表示すべき画像に係る画像信号に応じてデューティ比を変更し、変更したデューティ比で箱体内の基板に実装された発光素子に間欠的に給電し、給電された前記発光素子が発する光を用いて画像を表示する表示装置において、
前記箱体の設置状態を経時的に検出する検出部と、
該検出部の検出結果から前記設置状態が変化したか否かを判定する判定部と、
該判定部が変化したと判定した場合に、前記基板を介して前記発光素子に伝わる熱による温度上昇値を、前記検出部が検出した設置状態に応じて推定する第１推定部と、
前記発光素子への給電による温度上昇値を推定する第２推定部と、
前記第１及び第２推定部夫々が推定した前記熱及び給電による温度上昇値の合計が所定値以上である場合に前記所定比率を低減する低減部と
を備えることを特徴とする表示装置。
【請求項２】
前記箱体における複数の位置夫々から、該箱体の周辺に配されている対象物までの距離を各別に計測する計測部を更に備え、
前記検出部は計測部が計測した距離から前記設置状態を検出するように構成してあること
を特徴とする請求項１に記載の表示装置。
【請求項３】
前記箱体を着脱自在に支持するスタンドの該箱体への装着を検知する検知部と、
前記箱体が設置される壁面と該箱体とがなす角度を算出する算出部とを更に備え、
前記検出部は、前記検知部が前記装着を検知しない場合に前記箱体の壁掛状態を検出し、
前記第１推定部は、前記検出部が前記壁掛状態を検出した場合に、前記算出部が算出した角度から前記熱による温度上昇値を推定するように構成してあること
を特徴とする請求項１又は請求項２に記載の表示装置。
【請求項４】
前記デューティ比を所定時間積算する積算部を更に備え、
前記第２推定部は、前記積算部が積算した積算値から、前記給電による温度上昇値を推定するように構成してあること
を特徴とする請求項１から請求項３のいずれか１つに記載の表示装置。
【請求項５】
前記基板に複数の前記発光素子が実装されており、
前記第１及び第２推定部夫々は、前記複数の前記発光素子の中で、２以上の同じ前記発光素子について前記熱及び給電による温度上昇値を各別に推定し、
前記低減部は、前記２以上の同じ前記発光素子の少なくとも１つについて、前記第１及び第２推定部が推定した前記熱及び給電による温度上昇値の合計が所定値以上である場合に前記所定比率を低減するように構成してあること
を特徴とする請求項１から請求項４のいずれか１つに記載の表示装置。
【請求項６】
請求項１から請求項５のいずれか１つに記載の表示装置を備え、
該表示装置はテレビジョン放送に係る画像を表示するように構成してあること
を特徴とするテレビジョン受信装置。
【請求項７】
所定比率以下の範囲で、表示すべき画像に係る画像信号に応じてデューティ比を変更し、変更したデューティ比で箱体内の基板に実装された発光素子に間欠的に給電し、給電された前記発光素子が発する光を用いて画像を表示する表示方法において、
前記箱体の設置状態を経時的に検出する検出ステップと、
該検出ステップでの検出結果から前記設置状態が変化したか否かを判定する判定ステップと、
該判定ステップで変化したと判定した場合に、前記基板を介して前記発光素子に伝わる熱による温度上昇値を、前記検出ステップで検出した設置状態に応じて推定する第１推定ステップと、
前記発光素子への給電による温度上昇値を推定する第２推定ステップと、
前記第１及び第２推定ステップ夫々で推定した前記熱及び給電による温度上昇値の合計が所定値以上である場合に前記所定比率を低減する低減ステップと
を備えることを特徴とする表示方法。
【発明の詳細な説明】
【技術分野】
【０００１】
本発明は、バックライトとして発光素子が発する光を用いて画像を表示する表示装置、テレビジョン受信装置及び表示方法に関する。
【背景技術】
【０００２】
近年、液晶パネル又はプラズマディスプレイパネル等の表示部を用いて画像を表示する薄くて軽い表示装置が普及している。このため、表示装置を、スタンドで床面に固定した状態以外の他の状態、例えば、壁に掛けた状態で設置することが可能となっている。
【０００３】
表示装置が画像を表示する場合に、表示装置内で表示部、又は、各種制御を行う制御回路若しくは電源回路から発する熱の排出効率は、表示装置の設置状態によって異なる。例えば、表示装置を壁に掛けて固定した場合における排熱効率は、表示装置をスタンドで床面に固定した場合における排熱効率と比較して、表示装置と壁面との距離が短く、排出した熱が拡散しないために低い。
【０００４】
排熱効率が低く表示装置内の温度が上昇した場合、特に、バックライトとして発光素子、例えばＬＥＤ（Light Emitting Diode）を用いる表示装置は、発光素子が僅かな温度上昇で不安定に動作するため、正常に画像を表示しない虞がある。
【０００５】
特許文献１には、設置状態が壁掛状態であることを検出した場合に画像を表示するための電力を低減する表示装置が開示されている。特許文献１に記載の表示装置内では画像表示用の電力の低減によって給電による温度上昇が抑制され、画像が正常に表示される。
【先行技術文献】
【特許文献】
【０００６】
【特許文献１】特開２０１０−５４７７９号公報
【発明の概要】
【発明が解決しようとする課題】
【０００７】
しかしながら、特許文献１に記載の表示装置においては、検出した設置状態に応じて画像表示用の電力を低減しているに過ぎず、各設置状態における温度上昇値は考慮されていない。このため、特許文献１に記載の表示装置には、適切に電力を制御することができず、適量の光で画像を表示することができないという問題点がある。
【０００８】
本発明は斯かる事情に鑑みてなされたものであり、その目的とするところは、設置状態に応じて適切に電力を制御して画像を適量の光で正常に表示することができる表示装置、テレビジョン受信装置及び表示方法を提供することにある。
【課題を解決するための手段】
【０００９】
本発明に係る表示装置は、所定比率以下の範囲で、表示すべき画像に係る画像信号に応じてデューティ比を変更し、変更したデューティ比で箱体内の基板に実装された発光素子に間欠的に給電し、給電された前記発光素子が発する光を用いて画像を表示する表示装置において、前記箱体の設置状態を経時的に検出する検出部と、該検出部の検出結果から前記設置状態が変化したか否かを判定する判定部と、該判定部が変化したと判定した場合に、前記基板を介して前記発光素子に伝わる熱による温度上昇値を、前記検出部が検出した設置状態に応じて推定する第１推定部と、前記発光素子への給電による温度上昇値を推定する第２推定部と、前記第１及び第２推定部夫々が推定した前記熱及び給電による温度上昇値の合計が所定値以上である場合に前記所定比率を低減する低減部とを備えることを特徴とする。
【００１０】
本発明に係る表示装置は、前記箱体における複数の位置夫々から、該箱体の周辺に配されている対象物までの距離を各別に計測する計測部を更に備え、前記検出部は計測部が計測した距離から前記設置状態を検出するように構成してあることを特徴とする。
【００１１】
本発明に係る表示装置は、前記箱体を着脱自在に支持するスタンドの該箱体への装着を検知する検知部と、前記箱体が設置される壁面と該箱体とがなす角度を算出する算出部とを更に備え、前記検出部は、前記検知部が前記装着を検知しない場合に前記箱体の壁掛状態を検出し、前記第１推定部は、前記検出部が前記壁掛状態を検出した場合に、前記算出部が算出した角度から前記熱による温度上昇値を推定するように構成してあることを特徴とする。
【００１２】
本発明に係る表示装置は、前記デューティ比を所定時間積算する積算部を更に備え、前記第２推定部は、前記積算部が積算した積算値から、前記給電による温度上昇値を推定するように構成してあることを特徴とする。
【００１３】
本発明に係る表示装置は、前記基板に複数の前記発光素子が実装されており、前記第１及び第２推定部夫々は、前記複数の前記発光素子の中で、２以上の同じ前記発光素子について前記熱及び給電による温度上昇値を各別に推定し、前記低減部は、前記２以上の同じ前記発光素子の少なくとも１つについて、前記第１及び第２推定部が推定した前記熱及び給電による温度上昇値の合計が所定値以上である場合に前記所定比率を低減するように構成してあることを特徴とする。
【００１４】
本発明に係るテレビジョン受信装置は、前述の表示装置を備え、該表示装置はテレビジョン放送に係る画像を表示するように構成してあることを特徴とする。
【００１５】
本発明に係る表示方法は、所定比率以下の範囲で、表示すべき画像に係る画像信号に応じてデューティ比を変更し、変更したデューティ比で箱体内の基板に実装された発光素子に間欠的に給電し、給電された前記発光素子が発する光を用いて画像を表示する表示方法において、前記箱体の設置状態を経時的に検出する検出ステップと、該検出ステップでの検出結果から前記設置状態が変化したか否かを判定する判定ステップと、該判定ステップで変化したと判定した場合に、前記基板を介して前記発光素子に伝わる熱による温度上昇値を、前記検出ステップで検出した設置状態に応じて推定する第１推定ステップと、前記発光素子への給電による温度上昇値を推定する第２推定ステップと、前記第１及び第２推定ステップ夫々で推定した前記熱及び給電による温度上昇値の合計が所定値以上である場合に前記所定比率を低減する低減ステップとを備えることを特徴とする。
【００１６】
本発明に係る表示装置及び表示方法にあっては、発光素子を実装した基板を収容している箱体の設置状態を経時的に検出し、検出結果から箱体の設置状態が変化したか否かを判定する。設置状態が変化したと判定した場合に、基板を介して発光素子に伝わる熱による温度上昇値を、検出した設置状態に応じて推定する。
【００１７】
更に、発光素子への給電による温度上昇値を推定する。そして、熱及び給電による温度上昇値の合計が所定値以上である場合に、発光素子に間欠的に給電するために用いられるデューティ比の所定比率、即ち上限値を低減して発光素子に供給する電力を下げる。
【００１８】
これにより、発光素子に供給する電力は、設置状態に応じて適切に制御され、画像が適量の光で正常に表示される。
また、画像信号に応じたデューティ比で発光素子に間欠的に給電しているため、発光素子に供給する電力を抑制しながら、画像の高いコントラスト及び明暗の広いダイナミックレンジが実現される。
【００１９】
本発明に係る表示装置にあっては、計測部は、箱体における複数の位置夫々から箱体の周辺に配されている対象物、例えば壁面までの距離を各別に計測し、検出部は計測部が計測した距離から設置状態を検出する。
これにより、検出部は箱体の種々の設置状態を検出することが可能となる。
【００２０】
本発明に係る表示装置にあっては、検出部は、検知部がスタンドの箱体への装着を検知しなかった場合に箱体が壁掛状態であることを検出する。第１推定部は、算出部が算出した箱体と壁面との角度から熱による温度上昇値を推定する。
【００２１】
箱体と壁面との角度が大きい程箱体と壁面との距離が長く排熱効率が高い。そして、箱体と壁面との角度が小さい程箱体と壁面との距離が短く排熱効率が低い。このため、箱体が壁掛状態である場合に、箱体と壁面と角度から適切に熱による温度上昇値が第１推定部によって推定される。
【００２２】
本発明に係る表示装置にあっては、積算部は、発光素子に間欠的に給電するために使用されるデューティ比を所定時間積算し、第２推定部は、積算部が積算したデューティ比の積算値から給電による温度上昇値を推定する。デューティ比の積算値は所定時間内に発光素子に給電していた正味の時間を示すため、第２推定部はデューティ比の積算値を用いて給電による温度上昇値を正確に推定する。
【００２３】
本発明に係る表示装置にあっては、第１及び第２推定部夫々は、基板に実装された複数の発光素子の中で２以上の同じ発光素子について熱及び給電による温度上昇値を各別に推定する。低減部は、２以上の同じ発光素子の少なくとも１つについて、熱及び給電による温度上昇値の合計が所定値以上である場合に、デューティ比の上限値である所定比率を低減する。
【００２４】
熱及び給電による温度上昇値を２以上の発光素子について推定して推定結果に基づいて発光素子に供給する電力を低減するので、基板に実装された複数の発光素子に供給する電力がより適切な電力になる。
【００２５】
本発明に係るテレビジョン受信装置にあっては、テレビジョン放送に係る画像を表示する前述の表示装置を備えるので、発光素子に供給する電力が設置状態に応じて適切に制御され、画像が適量の光で正常に表示される。
【発明の効果】
【００２６】
本発明によれば、設置状態が変化した場合に、設置状態に応じて推定した熱と給電とによる温度上昇値に基づいて発光素子に供給する電力が低減されるので、設置状態に応じて適切に電力を制御して画像を適量の光で正常に表示することができる。
【図面の簡単な説明】
【００２７】
【図１】本発明に係る表示装置の側面断面図及び背面図である。
【図２】表示装置の要部構成を示すブロック図である。
【図３】温度上昇値を推定する発光素子の決定方法を説明するための説明図である。
【図４】設置状態が壁掛状態である場合における箱体の概略図である。
【図５】設置状態が壁面収納状態である場合における箱体の概略図である。
【図６】設置状態が壁よせ状態である場合における箱体の概略図である。
【図７】設置状態がコーナー置き状態である場合における箱体の概略図である。
【図８】給電による温度上昇値の推定方法を説明するための説明図である。
【図９】壁掛状態及び壁よせ状態夫々における温度上昇率を示すグラフである。
【図１０】制御部が実行する動作の手順を示すフローチャートである。
【図１１】制御部が実行する動作の手順を示すフローチャートである。
【発明を実施するための形態】
【００２８】
以下、本発明をその実施の形態を示す図面に基づいて詳述する。
図１は本発明に係る表示装置の側面断面図及び背面図である。図１Ａの側面断面図に示すように、表示装置１は直方体状の箱体２を備え、箱体２は矩形枠状のフロントキャビネット２ａと、一面が開放された矩形箱状のリアキャビネット２ｂとを有する。
【００２９】
フロントキャビネット２ａは、板状の表示部３、例えば液晶パネルに表示される画像を視認するための矩形の開口部２１を有している。フロントキャビネット２ａの後側（図１Ａの右側）に開放面を前面にしたリアキャビネット２ｂが設けてある。フロントキャビネット２ａの上下縁部はリアキャビネット２ｂの上下縁部と係合し、フロントキャビネット２ａ及びリアキャビネット２ｂは箱体２を構成している。
【００３０】
箱体２内の前側に、発光素子４，４，・・・，４が実装された基板５を支持し、一面が開放された矩形箱状のバックライトシャーシ６が開放面を前面にして配置されている。開口部２１と対向するバックライトシャーシ６の面に基板５が設けられ、基板５に発光素子４，４，・・・，４が実装されている。バックライトシャーシ６の縁部に表示部３が挟持されており、表示部３は開口部２１を覆っている。発光素子４，４，・・・，４夫々が発した光は表示部３を介して外部に出射され、表示部３に画像が表示される。
【００３１】
また、バックライトシャーシ６の後面には、発光素子４，４，・・・，４夫々に給電する給電回路７、給電回路７を制御する制御部８、各種データを記憶してある記憶部９、及び、外部から後述の受付部１１を介して受け付けた画像信号を表示部３に表示すべき画像に係る画像信号に処理する画像処理部１０等が設置されている。
【００３２】
バックライトシャーシ６に設置されている給電回路７、制御部８、記憶部９及び画像処理部１０等の回路が放出する熱はバックライトシャーシ６及び基板５を介して発光素子４，４，・・・，４に伝わり、発光素子４，４，・・・，４夫々の温度が上昇する。
【００３３】
更に、リアキャビネット２ｂの後面には、外部から画像信号を受け付ける受付部１１と、表示装置１の周辺に配される壁面までの距離を計測する測距センサ１２ａ，１２ｂ，１２ｃと、箱体２を支持するスタンド３０を着脱自在に装着する装着部１３とが設けられている。
なお、壁面は特許請求の範囲における対象物に該当する。
【００３４】
装着部１３内には、スタンド３０が装着部１３に装着された場合にオンに、スタンド３０が装着部１３に装着されていない場合にオフになり、スタンド３０の装着／非装着を検知する装着検知スイッチ１４が設けられている。装着検知スイッチ１４はスタンド３０の装着又は非装着を示す装着情報を制御部８に出力する。
【００３５】
測距センサ１２ａ，１２ｂ，１２ｃ夫々は、例えば、光を壁面に出力してから、壁面で反射した光を受光するまでの時間から距離を計測する測距センサである。測距センサ１２ａ，１２ｂ，１２ｃ夫々は、図１Ｂの背面図に示すように、箱体２の後面における角部、中央部、及び、上部中央に設けられている。
【００３６】
測距センサ１２ａ，１２ｂ夫々は箱体２の後方にある壁面までの距離Ｌａ，Ｌｂ（図４から図７を参照）を計測し、測距センサ１２ｃは箱体２の上方にある壁面までの距離Ｌｃ（図４から図７を参照）を計測する。測距センサ１２ａ，１２ｂ，１２ｃ夫々は、計測した距離Ｌａ，Ｌｂ，Ｌｃを示す距離情報を制御部８に出力する。
【００３７】
測距センサ１２ａ，１２ｂは、上下方向及び左右方向で一致しないように設けられており、測距センサ１２ａ及び１２ｂ間の上下方向の距離はＬａｂであり、距離Ｌａｂは記憶部９に記憶してある。
【００３８】
図２は表示装置１の要部構成を示すブロック図である。まず、外部機器が表示装置１に出力した画像信号は、受付部１１によって受け付けられ、受付部１１は、受け付けた画像信号を画像処理部１０に出力する。画像処理部１０は、受付部１１から受け付けた画像信号を、表示部３に表示すべき画像に係る画像信号に処理し、処理した画像信号を表示部３及び給電回路７に出力する。
【００３９】
表示部３は、複数の画素によって構成され、画像処理部１０から受け付けた画像信号に係る画像に応じて各画素の透過率を調整し、自身を通過する発光素子４，４，・・・，４の光によって画像を表示する。発光素子４，４，・・・，４夫々は、例えばＬＥＤである。
【００４０】
給電回路７は、画像処理部１０から受け付けた画像信号に応じたデューティ比で発光素子４，４，・・・，４に間欠的に給電する。
このため、給電回路７は表示部３に表示すべき画像に係る画像信号に応じたデューティ比で発光素子４，４，・・・，４に間欠的に給電するので、発光素子４，４，・・・，４に供給する電力は抑制され、画像の高いコントラスト及び明暗の広いダイナミックレンジが実現される。
給電回路７によって給電された発光素子４，４，・・・，４夫々は表示部３に向けて発光する。
【００４１】
給電回路７が間欠的に給電するために用いるデューティ比には上限値が設定されており、給電回路７は、設定された上限値以下の範囲でデューティ比を画像信号に応じて変更する。デューティ比の上限値は、給電回路７が制御部８から受け付ける上限値情報が示す上限値に設定される。
なお、上限値は特許請求の範囲における所定比率に該当する。
【００４２】
制御部８は、測距センサ１２ａ，１２ｂ，１２ｃ夫々から距離情報を、装着検知スイッチ１４から装着情報を受け付ける。
制御部８は、受け付けた距離情報及び装着情報が示す距離Ｌａ，Ｌｂ，Ｌｃ及びスタンド３０の装着／非装着から箱体２の設置状態を経時的に検出する。制御部８が検出する設置状態は、箱体２が壁に掛けられた壁掛状態、箱体２が壁の凹部に収納された壁面収納状態、箱体２が壁によせて配置された壁よせ状態、及び、箱体２が部屋等のコーナーに配置されたコーナー置き状態である。
【００４３】
制御部８は、検出した設置状態が変化した場合、発光素子４，４，・・・，４の中の９個の同じ発光素子４ａ，４ｂ，・・・，４ｉ（図２では括弧内に記載）夫々について、給電による温度上昇値ΔＴｐと、基板５を介して伝わる熱による温度上昇値ΔＴｓとを推定する。温度上昇値ΔＴｓについては、制御部８は、検出した設置状態に応じて推定する。
【００４４】
制御部８は、推定した温度上昇値ΔＴｐ及びΔＴｓの合計が所定値以上である場合に、デューティ比の上限値を低減し、低減した上限値を示す上限値情報を給電回路７に出力する。
【００４５】
図３は、温度上昇値ΔＴｐ及びΔＴｓを推定する発光素子４ａ，４ｂ，・・・，４ｉの決定方法を説明するための説明図である。図３には、基板５に実装された発光素子４ａ，４ｂ，・・・，４ｉを含む発光素子４，４，・・・，４が示されている。発光素子４，４，・・・，４は９行１５列のマトリックス状に配置されている。即ち、基板５において、上下方向及び左右方向夫々に９個及び１５個の発光素子４，４，・・・，４が配置されている。
【００４６】
まず、発光素子４，４，・・・，４が配置された基板５の領域を、図３の破線で示すように、９つの領域１５ａ，１５ｂ，・・・，１５ｉに分割する。ここでは、基板５の領域を均等に９つに分割している。
なお、発光素子４ａ，４ｂ，・・・，４ｉを決定するために分割する基板５の領域は均等でなくてもよい。
【００４７】
箱体２の設置状態が基準状態、例えば、周辺に壁及び物がない場所で箱体２がスタンド３０で指示された状態での熱による温度上昇値ΔＴｓｂを発光素子４，４，・・・，４夫々について、温度センサを用いて計測する。領域１５ａ，１５ｂ，・・・，１５ｉ夫々において、計測した温度上昇値ΔＴｓｂが最も大きい発光素子が発光素子４ａ，４ｂ，・・・，４ｉとして決定される。発光素子４ａ，４ｂ，・・・，４ｉ夫々は、領域１５ａ，１５ｂ，・・・，１５ｉ内にある発光素子４，４，・・・，４を代表する発光素子として意味付けされている。
【００４８】
発光素子４ａ，４ｂ，・・・，４ｉ夫々についての温度上昇値ΔＴｓｂは、制御部８が、壁掛状態、壁面収納状態、壁よせ状態又はコーナー置き状態での熱による温度上昇値ΔＴｓを計算するために使用され、記憶部９に予め記憶されている。
【００４９】
給電回路７は、給電による温度上昇値ΔＴｐを推定するために必要なデューティ比を発光素子４ａ，４ｂ，・・・，４ｉ夫々について示すデューティ比情報を制御部８に出力する。デューティ比を用いた温度上昇値ΔＴｐの推定方法は後述する。
【００５０】
表示装置１を量産する場合において、一の表示装置１について、前述した決定方法により発光素子４ａ，４ｂ，・・・，４ｉを決定し、他の表示装置１，１，・・・，１夫々は、一の表示装置１と同様に構成される。従って、他の表示装置１，１，・・・，１夫々の記憶部９には、一の表示装置１の記憶部９に記憶してある温度上昇値ΔＴｓｂと同じ温度上昇値ΔＴｓｂが記憶されている。
【００５１】
次に、制御部８が検出する箱体２の設置状態について説明する。
図４は設置状態が壁掛状態である場合における箱体２の概略図である。図４には箱体２の側面図が示されている。制御部８は、スタンド３０の非装着を示す装着情報を装着検知スイッチ１４から受け付けた場合、設置状態として壁掛状態を検出する。
【００５２】
設置状態が壁掛状態である場合、制御部８は、測距センサ１２ａ及び１２ｂ夫々が検出した距離Ｌａ及びＬｂと、測距センサ１２ａ及び１２ｂ間の上下方向の距離Ｌａｂとを（１）式に代入して箱体２と壁面とがなす角度θを算出する。
θ＝ａｒｃｔａｎ（｜Ｌａ−Ｌｂ｜／Ｌａｂ）    （１）
ここで、角度θはゼロ度以上９０度未満であり、｜Ｌａ−Ｌｂ｜は、（Ｌａ−Ｌｂ）の絶対値を示す。
角度θは、制御部８が壁掛状態での温度推定値ΔＴｓを推定するために使用される。（１）式は記憶部９に予め記憶されている。
【００５３】
図５は設置状態が壁面収納状態である場合における箱体２の概略図である。図５には箱体２の側面図が示されている。制御部８は、測距センサ１２ｃからの距離情報が示す距離Ｌｃが予め設定されている距離Ｌｔよりも短い場合、箱体２の上方の近傍に壁面があると判断し、設置状態として壁面収納状態を検出する。
なお、距離Ｌｔは記憶部９に予め記憶してある。
【００５４】
図６は設置状態が壁よせ状態である場合における箱体２の概略図である。図６には箱体２の側面図が示されている。制御部８は、測距センサ１２ｃから受け付けた距離情報が示す距離Ｌｃが距離Ｌｔよりも長く、かつ、測距センサ１２ａ及び１２ｂ夫々から受け付けた距離情報が示す距離Ｌａ及びＬｂの差｜Ｌａ−Ｌｂ｜が予め設定されている差Δａｂよりも小さい場合、設置状態として壁よせ状態を検出する。
【００５５】
距離Ｌｃが距離Ｌｔよりも長い場合、箱体２の上方近傍に壁面がないことを示す。更に、距離Ｌａ及びＬｂ夫々は箱体２から壁面までの距離を示すので、距離Ｌａ及びＬｂの差｜Ｌａ−Ｌｂ｜が差Δａｂよりも小さい場合、箱体２の後方にある壁面が箱体２の後面に略平行であることを示す。
【００５６】
図７は設置状態がコーナー置き状態である場合における箱体２の概略図である。図７には箱体２の平面図が示されている。図７には図示していないが、設置状態がコーナー置き状態である場合、スタンド３０は装着部１３に装着されている。制御部８は、測距センサ１２ｃから受け付けた距離情報が示す距離Ｌｃが距離Ｌｔよりも長く、かつ、測距センサ１２ａ及び１２ｂ夫々から受け付けた距離情報が示す距離Ｌａ及びＬｂの差｜Ｌａ−Ｌｂ｜が差Δａｂよりも大きい場合、設置状態としてコーナー置き状態を検出する。
差｜Ｌａ−Ｌｂ｜が差Δａｂよりも大きい場合、箱体２の後方にある壁面が箱体２の後面に平行でないことを示す。
【００５７】
図８は、給電による温度上昇値ΔＴｐの推定方法を説明するための説明図である。図８Ａは、給電回路７が、発光素子４に給電する場合に画像処理部１０が出力した画像信号に応じて変更するデューティ比の推移を示している。給電回路７は上限値Ｄｕ以下の範囲でデューティ比を変更している。
【００５８】
給電回路７は、図８Ａに示すように、画像信号に応じて変更したデューティ比が上限値Ｄｕを超えた場合、デューティ比Ｄｕで間欠的に発光素子４に給電する。制御部８は給電による温度上昇値ΔＴｐを推定するためにデューティ比の積算値を計算する。
【００５９】
制御部８がデューティ比の積算値を計算する場合、給電回路７は、所定時間、デューティ比情報を制御部８に出力する。制御部８は、給電回路７からのデューティ比情報が示すデューティ比を積算することによってデューティ比の積算値を算出する。制御部８が計算するデューティ比の積算値は、図８Ａのハッチング部分の面積に相当し、所定時間内に発光素子４に給電していた正味の時間を示す。
【００６０】
図８Ｂは給電による温度上昇値ΔＴｐとデューティ比の積算値との関係を示すグラフである。図８Ｂに示すグラフは記憶部９に予め記憶されている。図８Ｂに示すグラフでは、デューティ比の積算値が大きくなる程、即ち、発光素子４に給電する正味の時間が長くなる程、給電による温度上昇値ΔＴｐが大きくなっている。
【００６１】
デューティ比の積算値と温度上昇値ΔＴｐとの関係は発光素子４ａ，４ｂ，・・・，４ｉ夫々について同様であり、記憶部９には図４Ｂに示すグラフが１つ記憶されている。
【００６２】
なお、デューティ比の積算値と給電による温度上昇値ΔＴｐとの関係は発光素子４ａ，４ｂ，・・・，４ｉ夫々について異なっていてもよい。この場合、記憶部９には、発光素子４ａ，４ｂ，・・・，４ｉ夫々について、デューティ比の積算値と給電による温度上昇値ΔＴｐとの関係を示すグラフが記憶してある。
【００６３】
制御部８は、発光素子４ａ，４ｂ，・・・，４ｉ夫々について、デューティ比の積算値を計算し、計算した積算値に対応する温度上昇値ΔＴｐを図８Ｂに示すグラフから読取る。これにより、制御部８は温度上昇値ΔＴｐを推定する。このように、制御部８は、発光素子４ａ，４ｂ，・・・，４ｉに給電していた正味の時間を示すデューティ比の積算値から温度上昇値ΔＴｐを正確に推定することができる。
【００６４】
次に、熱による温度上昇値ΔＴｓの推定方法を説明する。制御部８は、記憶部９に記憶してある基準状態での温度上昇値ΔＴｓｂと、温度上昇値ΔＴｓｂからの温度上昇率Ｒとを下記の（２）式に代入することにより推定する。（２）式は記憶部９に予め記憶されている。
ΔＴｓ＝ΔＴｓｂ×（１＋（Ｒ／１００））    （２）
【００６５】
温度上昇率Ｒは、箱体２の設置状態によって異なり、更には、発光素子４ａ，４ｂ，・・・，４ｉ夫々について異なる。
以下では、発光素子４ａ，４ｂ，・・・，４ｉ夫々について、壁掛状態での温度上昇率ＲをＲｗａ，Ｒｗｂ，・・・，Ｒｗｉとし、壁よせ状態での温度上昇率ＲをＲｇａ，Ｒｇｂ，・・・，Ｒｇｉとする。
【００６６】
また、発光素子４ａ，４ｂ，・・・，４ｉ夫々について、壁面収納状態での温度上昇率ＲをＲｓａ，Ｒｓｂ，・・・，Ｒｓｉとし、コーナー置き状態での温度上昇率ＲをＲｃａ，Ｒｃｂ，・・・，Ｒｃｉとする。
【００６７】
壁掛状態での温度上昇率Ｒｗａ，Ｒｗｂ，・・・，Ｒｗｉ夫々は、箱体２と壁面とのなす角度θ（図４参照）から、壁よせ状態での温度上昇率Ｒｇａ，Ｒｇｂ，・・・，Ｒｇｉ夫々は箱体２と壁面との距離Ｌａ又はＬｂ（図６参照）から算出される。
【００６８】
図９は壁掛状態及び壁よせ状態夫々における温度上昇率Ｒｗａ及びＲｇａを示すグラフである。図９Ａは、壁掛状態での箱体２と壁面とがなす角度θと温度上昇率Ｒｗａとの関係を示すグラフである。図９Ａに示すグラフは記憶部９に予め記憶されている。温度上昇率Ｒｗａは、角度θが小さくなる程、即ち、壁面と箱体２との距離が短くなる程大きくなっている。
【００６９】
これは、箱体２と壁面との角度θが大きい程、箱体２と壁面との距離が長くて表示装置１の排熱効率が高く、箱体２と壁面との角度θが小さい程、箱体２と壁面との距離が短くて表示装置１の排熱効率が低いためである。
【００７０】
制御部８は、箱体２の設置状態として壁掛状態を検出した場合、前述したように、測距センサ１２ａ及び１２ｂ夫々が検出した距離Ｌａ及びＬｂと、記憶部９に記憶してある距離Ｌａｂとを（１）式に代入して角度θを算出する。
【００７１】
そして、図９Ａに示すグラフを用いて、角度θに対応する温度上昇率Ｒｗａを読取り、読取った温度上昇率Ｒｗａを（２）式の温度上昇率Ｒに代入することによって、角度θから発光素子４ａの温度上昇値ΔＴｓを推定する。
このように、制御部８は、箱体２が壁掛状態である場合に角度θから適切に温度上昇値ΔＴｓを推定することができる。
【００７２】
角度θに対する温度上昇率Ｒｗｂ，Ｒｗｃ，・・・，Ｒｗｉ夫々のグラフは、角度θに対する温度上昇率Ｒｗａのグラフと類似し、角度θに対する温度上昇率Ｒｗａのグラフと同様に記憶部９に予め記憶されている。制御部８は、温度上昇率Ｒｗｂ，Ｒｗｃ，・・・，Ｒｗｉを、温度上昇率Ｒｗａと同様にして読取り、（２）式を用いて発光素子４ｂ，４ｃ，・・・，４ｉ夫々の温度上昇値ΔＴｓを推定する。
【００７３】
なお、箱体２内の発光素子４ａ，４ｂ，・・・，４ｉの位置によって、温度が上昇しやすい部分と上昇しにくい部分があるため、角度θに対する温度上昇率Ｒｗａ，Ｒｗｂ，・・・，Ｒｗｉ夫々のグラフは一致していない。
また、基準状態での温度上昇値ΔＴｓｂについては、制御部８は記憶部９から読み出して（２）式に代入する。
【００７４】
図９Ｂは、壁よせ状態での距離Ｌａ（又はＬｂ）と温度上昇率Ｒｇａとの関係を示すグラフである。図９Ｂに示すグラフは記憶部９に予め記憶されている。温度上昇率Ｒｇａは、距離Ｌａ（又はＬｂ）、即ち箱体２と壁面との距離が短くなる程大きくなっている。
【００７５】
これは、箱体２と壁面との距離Ｌａ（又はＬｂ）が長い程、表示装置１の排熱効率が高く、箱体２と壁面との距離Ｌａ（又はＬｂ）が短い程、表示装置１の排熱効率が低いためである。
【００７６】
制御部８は、箱体２の設置状態として壁よせ状態を検出した場合、図９Ｂに示すグラフを用いて、測距センサ１２ａ（又は１２ｂ）が検出した距離Ｌａ（又はＬｂ）に対応する温度上昇率Ｒｇａを読取り、読取った温度上昇率Ｒｇａを（２）式に代入することによって、発光素子４ａの温度上昇値ΔＴｓを推定する。
このように、制御部８は、箱体２が壁よせ状態である場合に距離Ｌａ（又はＬｂ）から適切に温度上昇値ΔＴｓを推定することができる。
【００７７】
距離Ｌａ（又はＬｂ）に対する温度上昇率Ｒｇｂ，Ｒｇｃ，・・・，Ｒｇｉ夫々のグラフは、距離Ｌａ（又はＬｂ）に対する温度上昇率Ｒｇａのグラフと類似し、距離Ｌａ（又はＬｂ）に対する温度上昇率Ｒｇａのグラフと同様に記憶部９に予め記憶されている。制御部８は、温度上昇率Ｒｇｂ，Ｒｇｃ，・・・，Ｒｇｉを、温度上昇率Ｒｇａと同様にして読取り、（２）式を用いて発光素子４ｂ，４ｃ，・・・，４ｉ夫々の温度上昇値ΔＴｓを推定する。
【００７８】
なお、箱体２内の発光素子４ａ，４ｂ，・・・，４ｉの位置によって、温度が上昇しやすい部分と上昇しにくい部分があるため、距離Ｌａ（又はＬｂ）に対する温度上昇率Ｒｇａ，Ｒｇｂ，・・・，Ｒｇｉ夫々のグラフは一致していない。
また、基準状態での温度上昇値ΔＴｓｂについては、制御部８は記憶部９から読み出して（２）式に代入する。
【００７９】
壁面収納状態での温度上昇率Ｒｓａ，Ｒｓｂ，・・・，Ｒｓｉ、及び、コーナー置き状態での温度上昇率Ｒｃａ，Ｒｃｂ，・・・，Ｒｃｉは、予め記憶部９に記憶されている。
【００８０】
設置状態が壁面収納状態である場合、箱体２の上方では排熱効率が低いため、発光素子４ａ，４ｂ，・・・，４ｉの中で箱体２の上方にある発光素子に対応する温度上昇率を高くしてある。
【００８１】
設置状態が壁面収納状態である場合に設定される温度上昇率Ｒｓａ，Ｒｓｂ，・・・，Ｒｓｉの一例として、温度上昇率Ｒｓａ，Ｒｓｂ，Ｒｓｃ夫々は２．０に、温度上昇率Ｒｓｄ，Ｒｓｅ，Ｒｓｆ夫々は１．８に、温度上昇率Ｒｓｇ，Ｒｓｈ，Ｒｓｉ夫々は１．６に設定される。
【００８２】
制御部８は、箱体２の設置状態として壁面収納状態と検出した場合、記憶部９に予め記憶してある温度上昇率Ｒｓａ，Ｒｓｂ，・・・，Ｒｓｉ夫々を（２）式に代入することによって、発光素子４ａ，４ｂ，・・・，４ｉ夫々の温度上昇値ΔＴｓを推定する。
なお、基準状態での温度上昇値ΔＴｓｂについては、制御部８は記憶部９から読み出して（２）式に代入する。
【００８３】
設置状態がコーナー置き状態である場合、箱体２の上方では排熱効率が低く、更に、箱体２において中央部から左右方向に離れる程、排熱効率が低い。このため、発光素子４ａ，４ｂ，・・・，４ｉの中で、箱体２の上方に存在する発光素子に対応する温度上昇率を高くし、更に、中央部から左右方向に離れた発光素子に対応する温度上昇率を高くしてある。
【００８４】
設置状態がコーナー置き状態である場合に設定される温度上昇率Ｒｃａ，Ｒｃｂ，・・・，Ｒｃｉの一例として、温度上昇率Ｒｃａ、Ｒｃｄ及びＲｃｇ夫々は、１．８、１．６及び１．４に、温度上昇率Ｒｃｂ、Ｒｃｅ及びＲｃｈ夫々は、１．４、１．２及び１．０に、温度上昇率Ｒｃｃ、Ｒｃｆ及びＲｃｉ夫々は、１．８、１．６及び１．４に設定される。
【００８５】
制御部８は、箱体２の設置状態としてコーナー置き状態と検出した場合、記憶部９に予め記憶してある温度上昇率Ｒｃａ，Ｒｃｂ，・・・，Ｒｃｉ夫々を（２）式に代入することによって、発光素子４ａ，４ｂ，・・・，４ｉ夫々の温度上昇値ΔＴｓを推定する。
なお、基準状態での温度上昇値ΔＴｓｂについては、制御部８は記憶部９から読み出して（２）式に代入する。
【００８６】
以上のように、制御部８は、設置状態、即ち、壁掛状態、壁面収納状態、壁よせ状態、及び、コーナー置き状態のいずれかの経時的な検出、温度上昇値ΔＴｐの推定、及び設置状態に応じた温度上昇値ΔＴｓの推定を行うことができる。
【００８７】
制御部８は、設置状態を経時的に検出し、検出した設置状態を記憶部９に記憶する。制御部８は、設置状態を検出する都度、検出した設置状態が、記憶部９に記憶してある設置状態と異なって変化したか否かを判定する。制御部８は、検出した設置状態が変化したと判定した場合、記憶部９に初期値として記憶してあるデューティ比の上限値を示す上限情報を給電回路７に出力する。
【００８８】
これにより、発光素子４，４，・・・，４夫々の給電に用いられるデューティ比の上限値がリセットされ、給電回路７は、記憶部９に記憶してある上限値以下の範囲で画像信号に応じてデューティ比を変更する。
【００８９】
次に、制御部８は、発光素子４ａ，４ｂ，・・・，４ｉ夫々について、温度上昇値ΔＴｐと、検出した設置状態に応じた温度上昇値ΔＴｓを推定する。制御部８は、発光素子４ａ，４ｂ，・・・，４ｉの少なくとも１つについて推定した温度上昇値ΔＴｐ及びΔＴｓの合計が所定値以上である場合に、デューティ比の上限値を低減し、低減した上限値を示す上限情報を給電回路７に出力する。
【００９０】
その後、制御部８は、再びデューティ比情報を給電回路７から所定時間受け付け、受け付けたデューティ比情報が示すデューティ比を発光素子４ａ，４ｂ，・・・，４ｉ夫々について積算し、デューティ比の積算値から温度上昇値ΔＴｐを推定する。
【００９１】
制御部８は、温度上昇値ΔＴｐを新たに推定した温度上昇値ΔＴｐに変更して、発光素子４ａ，４ｂ，・・・，４ｉの少なくとも１つについて温度上昇値ΔＴｐ及びΔＴｓの合計が所定値以上であるかを再び判定する。制御部８は、発光素子４ａ，４ｂ，・・・，４ｉ全てについて温度上昇値ΔＴｐ及びΔＴｓの合計が所定値未満となるまで、デューティ比の上限値を低減する。
【００９２】
これにより、給電回路７が発光素子４，４，・・・，４に供給する電力は、設置状態に応じて適切に制御され、発光素子４，４，・・・，４は適量の光を表示部３に発し、表示部３には適量の光で画像が正常に表示される。
【００９３】
制御部８は、特許請求の範囲における検出部、判定部、第１及び第２推定部、低減部、算出部、並びに、積算部に該当する。測距センサ１２ａ，１２ｂ，１２ｃ全体、及び、装着検知スイッチ１４夫々は特許請求の範囲における計測部及び検知部に該当する。
【００９４】
図１０及び図１１は制御部８が実行する動作の手順を示すフローチャートである。制御部８は、装着検知スイッチ１４から装着情報を受け付け（ステップＳ１）、測距センサ１２ａ，１２ｂ，１２ｃ夫々から距離情報を受け付ける（ステップＳ２）。
【００９５】
次に、制御部８は、ステップＳ１及びＳ２で受け付けた装置情報及び距離情報夫々が示すスタンド３０の装着／非装着及び距離Ｌａ，Ｌｂ，Ｌｃから箱体２の設置状態を検出し（ステップＳ３）、検出した設置状態が変化したか否かを判定する（ステップＳ４）。ここで、制御部８はステップＳ３で検出した設置状態が記憶部９に記憶してある設置状態と異なっているか否かによって設置状態が変化したか否かを判定する。
【００９６】
制御部８は、設置状態が変化していないと判定した場合（ステップＳ４：ＮＯ）、処理をステップＳ１に戻し、設置状態が変化するまで設置状態を経時的に検出する。
【００９７】
制御部８は、設置状態が変化したと判定した場合（ステップＳ４：ＹＥＳ）、ステップＳ３で検出した設置状態を記憶部９に記憶する（ステップＳ５）。次に、制御部８は、記憶部９に初期値として記憶してあるデューティ比の上限値を示す上限情報を給電回路７に出力することによって、発光素子４ａ，４ｂ，・・・，４ｉを含む発光素子４，４，・・・，４夫々の給電に用いられるデューティ比の上限値をリセットする（ステップＳ６）。これにより、給電回路７は、初期値にリセットされた上限値以下の範囲で画像信号に応じてデューティ比を変更する。
【００９８】
制御部８は、ステップＳ６を実行した後、給電回路７からデューティ比情報を所定時間受け付けて（ステップＳ７）、受け付けたデューティ比情報が示すデューティ比を、発光素子４ａ，４ｂ，・・・，４ｉ夫々について積算する（ステップＳ８）。次に、制御部８は、デューティ比の積算値と給電による温度上昇値ΔＴｐとの関係を示すグラフ（図８Ｂ参照）からステップＳ８で算出した積算値に対応する温度上昇値ΔＴｐを読取ることによって、温度上昇値ΔＴｐを発光素子４ａ，４ｂ，・・・，４ｉ夫々について推定する（ステップＳ９）。
【００９９】
制御部８は、ステップＳ９を実行した後、設置状態が基準状態である場合における熱による温度上昇値ΔＴｓｂを、発光素子４ａ，４ｂ，・・・，４ｉ夫々について記憶部９から読み出し（ステップＳ１０）。次に、制御部８は、ステップＳ３で検出した設置状態が壁掛状態であるか否かを判定する（ステップＳ１１）。
【０１００】
制御部８は、設置状態が壁掛状態であると判定した場合（ステップＳ１１：ＹＥＳ）、測距センサ１２ａ及び１２ｂ夫々が計測した距離Ｌａ及びＬｂ、並びに、記憶部９に記憶してある距離Ｌａｂを（１）式に代入して、箱体２と壁面との角度θを算出する（ステップＳ１２）。次に、制御部８は、角度θと温度上昇率Ｒｗａ，Ｒｗｂ，・・・，Ｒｗｉ夫々との関係を示すグラフ（図９Ａ参照）から、ステップＳ１２で算出した角度θに対応する温度上昇率Ｒｗａ，Ｒｗｂ，・・・，Ｒｗｉ夫々を読取る（ステップＳ１３）。
【０１０１】
制御部８は、（２）式に、ステップＳ１０で読み出した温度上昇値ΔＴｓｂと、ステップＳ１３で読取った温度上昇率Ｒｗａ，Ｒｗｂ，・・・，Ｒｗｉとを各別に代入することによって、発光素子４ａ，４ｂ，・・・，４ｉ夫々について、壁掛状態での熱による温度上昇値ΔＴｓを推定する（ステップＳ１４）。
【０１０２】
制御部８は、設置状態が壁掛状態ではないと判定した場合（ステップＳ１１：ＮＯ）、ステップＳ３で検出した設置状態が壁よせ状態であるか否かを判定する（ステップＳ１５）。制御部８は、設置状態が壁よせ状態であると判定した場合（ステップＳ１５：ＹＥＳ）、距離Ｌａ（又はＬｂ）と温度上昇率Ｒｇａ，Ｒｇｂ，・・・，Ｒｇｉ夫々との関係を示すグラフ（図９Ｂ参照）から、ステップＳ２で測距センサ１２ａ（又は１２ｂ）から受け付けた距離情報が示す距離Ｌａ（又はＬｂ）に対応する温度上昇率Ｒｇａ，Ｒｇｂ，・・・，Ｒｇｉ夫々を読取る（ステップＳ１６）。
【０１０３】
制御部８は、（２）式に、ステップＳ１０で読み出した温度上昇値ΔＴｓｂと、ステップＳ１６で読取った温度上昇率Ｒｇａ，Ｒｇｂ，・・・，Ｒｇｉを各別に代入することによって、発光素子４ａ，４ｂ，・・・，４ｉ夫々について、壁よせ状態での熱による温度上昇値ΔＴｓを推定する（ステップＳ１７）。
【０１０４】
制御部８は、設置状態が壁よせ状態ではないと判定した場合、即ち、設置状態が壁面収納状態又はコーナー置き状態である場合（ステップＳ１５：ＮＯ）、ステップＳ３で検出した設置状態に応じた温度上昇率Ｒｓａ，Ｒｓｂ，・・・，Ｒｓｉ、又は、温度上昇率Ｒｃａ，Ｒｃｂ，・・・，Ｒｃｉを記憶部９から読み出す（ステップＳ１８）。
【０１０５】
制御部８は、（２）式に、ステップＳ１０で読み出した温度上昇値ΔＴｓｂと、ステップＳ１８で読み出した温度上昇率Ｒｓａ，Ｒｓｂ，・・・，Ｒｓｉ、又は、温度上昇率Ｒｃａ，Ｒｃｂ，・・・，Ｒｃｉとを代入することによって、発光素子４ａ，４ｂ，・・・，４ｉ夫々について、壁面収納状態又はコーナー置き状態での温度上昇値ΔＴｓを推定する（ステップＳ１９）。
【０１０６】
制御部８は、ステップＳ１４、Ｓ１７又はＳ１９を実行した後、ステップＳ９で推定した温度上昇値ΔＴｐと、ステップＳ１４、Ｓ１７又はＳ１９で推定した温度上昇値ΔＴｓとの合計が、発光素子４ａ，４ｂ，・・・，４ｉの少なくとも１つについて、所定値以上であるか否かを判定する（ステップＳ２０）。
【０１０７】
制御部８は、発光素子４ａ，４ｂ，・・・，４ｉの少なくとも１つについて、温度上昇値ΔＴｐ及びΔＴｓの合計が所定値以上であると判定した場合（ステップＳ２０：ＹＥＳ）、発光素子４，４，・・・，４夫々の給電に用いられるデューティ比の上限値を低減する（ステップＳ２１）。
【０１０８】
制御部８は、温度推定値ΔＴｐ及びΔＴｓを２以上の発光素子４ａ，４ｂ，・・・，４ｉについて推定して、推定した結果に基づいて発光素子４，４，・・・，４に供給する電力を低減する。これにより、給電回路７は、発光素子４，４，・・・，４に適切な電力を供給することができる。
【０１０９】
次に、制御部８は、給電回路７からデューティ比情報を所定時間受け付けて（ステップＳ２２）、受け付けたデューティ比情報が示すデューティ比を発光素子４ａ，４ｂ，・・・，４ｉ夫々について積算する（ステップＳ２３）。
【０１１０】
制御部８は、デューティ比の積算値と給電による温度上昇値ΔＴｐとの関係を示すグラフからステップＳ２３で算出した積算値に対応する温度上昇値ΔＴｐを読取ることによって、温度上昇値ΔＴｐを発光素子４ａ，４ｂ，・・・，４ｉ夫々について推定する（ステップＳ２４）。制御部８は、ステップＳ２４を実行した後、処理をステップＳ２０に戻す。
【０１１１】
制御部８は、ステップＳ２０を繰り返す場合、新たに推定した温度上昇値ΔＴｐとステップＳ１４、Ｓ１７又はＳ１９で推定した温度上昇値ΔＴｓの合計が所定値以上であるか否かを判定する。制御部８は、ステップＳ２０の判定を温度上昇値ΔＴｐ及びΔＴｓの合計が所定値未満となるまで繰り返す。
【０１１２】
制御部８は、温度上昇値ΔＴｐ及びΔＴｓの合計が所定値未満であると判定した場合（ステップＳ２０：ＮＯ）、動作を終了する。制御部８は動作を終了した後、改めてステップＳ１を実行し、箱体２の設置状態が変化するまで待機する。
【０１１３】
本実施の形態にあっては、測距センサ１２ａ，１２ｂ，１２ｃ夫々は、箱体２における複数の位置から、箱体２の周辺に配されている壁面までの距離Ｌａ，Ｌｂ，Ｌｃを各別に計測し、制御部８は距離Ｌａ，Ｌｂ，Ｌｃから設置状態を検出する。これにより、制御部８は、壁面収納状態、壁よせ状態又はコーナー置き状態等の種々の設置状態を検出することができる。
【０１１４】
本実施の形態にあっては、受付部１１がテレビジョン放送に係る画像信号を受け付けて、発光素子４，４，・・・，４が発した光を用いて表示部３にテレビジョン放送に係る画像を表示するように表示装置１を構成することによって、表示装置１はテレビジョン受信装置として機能する。
【０１１５】
なお、本実施の形態では、発光素子４，４，・・・，４を基板５に９行１５列で格子状に配置したが、発光素子４，４，・・・４の配置方法はこれに限定されず、発光素子４の数も１３５個に限定されない。
【０１１６】
また、温度上昇値ΔＴｐ及びΔＴｓを推定する発光素子の数は９個に限定されず、１以上８以下又は１０以上であってもよい。
【０１１７】
また、本実施の形態では、壁掛状態での温度上昇値ΔＴｓを、箱体２と壁面とがなす角度θから推定したが、箱体２が壁面から離れる程、距離Ｌａ又はＬｂは大きくなるので、例えば、距離Ｌａから温度上昇値ΔＴｓを推定してもよい。
【符号の説明】
【０１１８】
１  表示装置（テレビジョン受信装置）
１２ａ，１２ｂ，１２ｃ  測距センサ（計測部）
１４  装着検知スイッチ（検知部）
２  箱体
４，４ａ，４ｂ，・・・，４ｉ  発光素子
５  基板
８  制御部（検出部、判定部、第１推定部、第２推定部、低減部、算出部、積算部）
３０  スタンド
Ｄｕ  上限値（所定比率）
ΔＴｓ  熱による温度上昇値
ΔＴｐ  給電による温度上昇値
θ  角度
【図１】
2013125211.tif 000003
【図２】
2013125211.tif 000004
【図３】
2013125211.tif 000005
【図４】
2013125211.tif 000006
【図５】
2013125211.tif 000007
【図６】
2013125211.tif 000008
【図７】
2013125211.tif 000009
【図８】
2013125211.tif 000010
【図９】
2013125211.tif 000011
【図１０】
2013125211.tif 000012
【図１１】
2013125211.tif 000013